(57)【特許請求の範囲】
【請求項１】
ヒートローラを定着ハウジング内に収納し、前記ヒートローラの外周面に接触してこのヒートローラの温度を測定するサーミスタを備えた定着装置において、前記サーミスタを前記定着ハウジング内に挿入する挿入穴を前記定着ハウジングに形成し、前記定着ハウジングの外部から前記挿入穴を通して前記定着ハウジング内へ挿入した前記サーミスタを前記定着ハウジングの外周部に着脱自在に取り付け、
前記定着ハウジングの外周部に前記サーミスタのハーネスを配線するための断面Ｌ字型をしたＬ字型凹部を設け、
前記サーミスタのハーネスを保持する複数個のハーネスガイドを前記Ｌ字型凹部に前記定着ハウジングと一体に形成し、
複数個の前記ハーネスガイドは、前記ハーネスの配線方向に沿って間隔を隔てて平行に配置され、
隣合う二つの前記ハーネスガイドは、前記Ｌ字型凹部の異なる面から突出し、
それぞれの前記ハーネスガイドには、前記ハーネスをガイドするガイド面が前記Ｌ字型凹部の一面と略平行に形成され、
隣合う二つの前記ハーネスガイドの前記ガイド面と前記Ｌ字型凹部とにより前記ハーネスの外周面の全方位が囲まれていることを特徴とする定着装置。
【請求項２】
前記ハーネスガイドには、前記ハーネスをスライドさせる載置面が前記ガイド面と交差して形成されており、異なる方向へ突出した前記ハーネスガイドの前記載置面が略同一平面内に位置することを特徴とする請求項１記載の定着装置。
【請求項３】
回転駆動される感光体と、
前記感光体の外周面を露光して静電潜像を形成する光書込装置と、
前記感光体へトナーを供給して静電潜像を顕像化させる現像ローラと、
顕像化された前記感光体上のトナー像を記録媒体に転写させる転写装置と、
前記記録媒体に転写されたトナー像を定着させる請求項１又は２記載の定着装置と、
を有する画像形成装置。
【発明の詳細な説明】
【０００１】
【発明の属する技術分野】
本発明は、定着装置及び画像形成装置に関する。
【０００２】
【従来の技術】
従来、複写機やプリンタ等の画像形成装置には記録媒体に転写されたトナー像を定着させる定着装置が設けられている。この定着装置では、内部にヒータが配置されたヒートローラ、このヒートローラの外周面に所定の圧力で圧接されるプレスローラなどが定着ハウジング内に収納されている。さらに、ヒートローラの外周面に接触してヒートローラの温度を測定するサーミスタが設けられている。サーミスタはハーネスを介してコントローラに接続されており、ヒートローラの温度が所定値以上に上昇したときにはヒータへの通電が遮断され、ヒートローラの過熱が防止されている。
【０００３】
【発明が解決しようとする課題】
従来の定着装置では、サーミスタが定着ハウジングの内側に固定されている。このため、サーミスタにトナーが付着して温度測定の精度が低下した場合などにおいては、定着ハウジングを分解した後にこの定着ハウジングからサーミスタを取り外し、サーミスタの清掃を行っている。
【０００４】
したがって、サーミスタの清掃に多大な手間と時間とがかかっている。
【０００５】
そこで本発明は、ヒートローラの温度を測定するサーミスタの清掃を、手間と時間とをかけずに容易に行えるようにした定着装置及び画像形成装置を提供することを目的とする。
【０００６】
さらに本発明は、サーミスタのハーネスを定着ハウジングの外周面に沿わせて配線することができる定着装置及び画像形成装置を提供することを目的とする。
【０００７】
【課題を解決するための手段】
請求項１記載の発明は、ヒートローラを定着ハウジング内に収納し、前記ヒートローラの外周面に接触してこのヒートローラの温度を測定するサーミスタを備えた定着装置において、前記サーミスタを前記定着ハウジング内に挿入する挿入穴を前記定着ハウジングに形成し、前記定着ハウジングの外部から前記挿入穴を通して前記定着ハウジング内へ挿入した前記サーミスタを前記定着ハウジングの外周部に着脱自在に取り付けた。
【０００８】
したがって、サーミスタの清掃を行う場合には、定着ハウジングの外周部に取り付けられているサーミスタを定着ハウジングから取り外し、サーミスタを挿入穴から抜き取る。このため、サーミスタの清掃時に定着ハウジングを分解する必要がなく、サーミスタの清掃を手間と時間とをかけずに容易に行える。
【０００９】
また、前記定着ハウジングの外周部に前記サーミスタのハーネスを配線するための断面Ｌ字型をしたＬ字型凹部を設け、前記サーミスタのハーネスを保持する複数個のハーネスガイドを前記Ｌ字型凹部に前記定着ハウジングと一体に形成した。
【００１０】
したがって、サーミスタのハーネスが定着ハウジングの外周面に沿って配線される。また、このハーネスを保持するための部品、例えば、クランプなどを別個に設ける必要がなく、部品点数が少なくなる。
【００１１】
そして、複数個の前記ハーネスガイドは、前記ハーネスの配線方向に沿って間隔を隔てて平行に配置され、隣合う二つの前記ハーネスガイドは、前記Ｌ字型凹部の異なる面から突出し、それぞれの前記ハーネスガイドには、前記ハーネスをガイドするガイド面が前記Ｌ字型凹部の一面と略平行に形成され、隣合う二つの前記ハーネスガイドの前記ガイド面と前記Ｌ字型凹部とにより前記ハーネスの外周面の全方位が囲まれている。
【００１２】
したがって、ハーネスは定着ハウジングの外周面とハーネスガイドのガイド面とに囲まれた配線位置から外れにくくなり、メンテナンスなどのために定着装置を取り外す場合、ハーネスがその配線位置からから外れて定着装置の周囲に配置された部品に引っ掛かるということが防止される。
【００１３】
請求項２記載の発明は、請求項１記載の定着装置において、前記ハーネスガイドには、前記ハーネスをスライドさせる載置面が前記ガイド面と交差して形成されており、異なる方向へ突出した前記ハーネスガイドの前記載置面が略同一平面内に位置する。
【００１４】
したがって、ハーネスを定着ハウジングの外周面とハーネスガイドのガイド面とに囲まれた配線位置へ配線するときには、ハーネスをハーネスガイドの載置面上に載置し、ついで、このハーネスを載置面上でスライドさせ、載置面の端部からガイド面と対向する配線位置へ移動させる。ここで、異なる方向へ突出したハーネスガイドの載置面が略同一平面内に位置するため、異なる方向へ突出したハーネスガイドの載置面上でハーネスをスライドさせるときの作業をスムーズに行え、ハーネスを配線位置へ配線する作業を容易に行える。
【００１５】
請求項３記載の発明の画像形成装置は、回転駆動される感光体と、前記感光体の外周面を露光して静電潜像を形成する光書込装置と、前記感光体へトナーを供給して静電潜像を顕像化させる現像ローラと、顕像化された前記感光体上のトナー像を記録媒体に転写させる転写装置と、前記記録媒体に転写されたトナー像を定着させる請求項１又は２記載の定着装置と、を有する。
【００１６】
したがって、この画像形成装置は請求項１ないし４のいずれかの定着装置を用いることにより、それぞれの定着装置を用いた場合に得られる作用が得られる。
【００１７】
【発明の実施の形態】
本発明の一実施の形態を図面に基づいて説明する。まず、図１を参照して画像形成装置である複写機１の全体構造を説明する。複写機１の本体ケース２の上部には原稿（図示せず）の画像を読み取る画像読取装置３が取り付けられ、本体ケース２の内部にはプロセスカートリッジ４が着脱自在に取り付けられている。プロセスカートリッジ４の下方には、記録媒体である転写用紙５が搬送される用紙搬送路６が形成されている。
【００１８】
画像読取装置３は、画像読取部７と、この画像読取部７による読取位置へ供給される原稿が載置される原稿トレイ８とを有する。原稿トレイ８は、支点軸９を中心として実線で示した水平位置と二点鎖線で示した起立位置とへ回動自在に支持され、それぞれの回動位置において図示しないストッパにより位置固定されている。
【００１９】
プロセスカートリッジ４内には、感光体ドラム１０、現像ローラ１１、アジテータ１２などが収納されている。本体ケース２内におけるプロセスカートリッジ４の取付位置の周囲には、感光体ドラム１０の外周面を露光して静電潜像を形成する光書込装置であるレーザ書込ユニット１３、転写用紙５を斜めに載置した状態で保持する給紙トレイ１４、給紙トレイ１４内の転写用紙５を一枚ずつ給紙する給紙ローラ１５、トナーを供給されて顕像化された感光体ドラム１０の外周面上のトナー像を転写用紙５に転写させる転写装置である転写ローラ１６、転写用紙５に転写されたトナー像を定着させる定着装置１７、定着装置１７を通過した転写用紙５が排紙される受け板１８等が設けられている。
【００２０】
つぎに、定着装置１７について図２に基づいて詳しく説明する。この定着装置１７は、本体ケース２内に固定される定着ハウジング１９を有する。定着ハウジング１９内には、内部にヒータ２０を有して回転駆動されるヒートローラ２１と、このヒートローラ２１の外周面に所定の圧力で圧接されて連れ回りされるプレスローラ２２とが収納されている。
【００２１】
さらに、定着装置１７には、ヒートローラ２１の外周面に常時接触してこのヒートローラ２１の温度を測定するサーミスタ２３が設けられている。定着ハウジング１９におけるヒートローラ２１の外周面の近傍位置には挿入穴２４が形成されており、サーミスタ２３は定着ハウジング１９の外部から挿入穴２４を通して定着ハウジング１９内へ挿入され、ヒートローラ２１の外周面に接触している。定着ハウジング１９の外周面における挿入穴２４の近傍にはネジ穴（図示せず）が形成され、挿入穴２４から定着ハウジング１９内に挿入されたサーミスタ２３が、ネジ穴に螺合されたネジ２５により定着ハウジング１９の外周面に着脱自在に取り付けられている。
【００２２】
定着ハウジング１９の外周面にはサーミスタ２３のハーネス２６を配線するためのＬ字形凹部２７が形成されており、このＬ字形凹部２７には、ハーネス２６を保持する複数個のハーネスガイド２８，２９が一体に形成されている。ハーネスガイド２８，２９は平板状三角形に形成され、ハーネス２６の配線方向に沿って所定間隔を隔てて平行に配置され、近接した位置で隣り合う二つのハーネスガイド２８，２９が異なる方向へ突出している。
【００２３】
平板状三角形に形成されたハーネスガイド２８，２９には、Ｌ字形凹部２７に沿って配線されたハーネス２６をガイドするガイド面２８ａ，２９ａと、これらのガイド面２８ａ，２９ａに対して交差する載置面２８ｂ，２９ｂとが形成されている。そして、Ｌ字形凹部２７に沿って配線されたハーネス２６は、その外周面の全方位がガイド面２８ａ，２９ａとＬ字形凹部２７の外周面とにより囲まれている。載置面２８ｂ，２９ｂは、同一平面内に位置している。
【００２４】
このような構成において、複写作業時にはヒータ２０への通電が行われ、ヒートローラ２１の温度が上昇する。そして、このヒートローラ２１の温度をサーミスタ２３で検出し、ヒートローラ２１の温度が所定値以上に上昇した場合にはヒータ２０への通電を遮断し、ヒートローラ２１が過熱することを防止する。
【００２５】
複写作業時においてヒートローラ２１の外周面にはトナーなどが付着し、このトナーなどがヒートローラ２１の外周面に常時接触しているサーミスタ２３に付着する。サーミスタ２３へのトナーなどの付着量が多くなると、温度検出の精度が低下するため、サーミスタ２３を定期的に、又は、必要に応じて清掃する必要がある。
【００２６】
サーミスタ２３を清掃する場合には、ネジ２５を外し、サーミスタ２３を挿入穴２４から抜き取る。このため、サーミスタ２３の清掃時に定着ハウジング１９を分解する必要がなく、サーミスタ２３の清掃を手間と時間とをかけずに容易に行える。
【００２７】
定着ハウジング１９のＬ字形凹部２７に沿って配線されたハーネス２６は、その外周面の全方位がハーネスガイド２８，２９のガイド面２８ａ，２９ａとＬ字形凹部２７の外周面とにより囲まれている。このため、ハーネス２６は、ハーネスガイド２８，２９のガイド面２８ａ，２９ａとＬ字形凹部２７の外周面とにより囲まれた配線位置から外れにくくなり、メンテナンスなどのために定着装置１７を取り外す場合、ハーネス２６が配線位置から外れて定着装置１７の周囲に配置された部品に引っ掛かるということが防止される。
【００２８】
さらに、ハーネスガイド２８，２９が定着ハウジング１９と一体に形成されているため、ハーネス２６を保持する部材を別個に設ける必要がなく、部品点数を少なくすることができる。
【００２９】
また、ハーネス２６をＬ字形凹部２７の外周面とガイド面２８ａ，２９ａとに囲まれた配線位置へ配線するときには、ハーネス２６をハーネスガイド２８，２９の載置面２８ｂ，２９ｂ上に載置し、ついで、このハーネス２６を載置面２８ｂ，２９ｂ上でスライドさせ、載置面２８ｂ，２９ｂの端部からガイド面２８ａ，２９ａと対向する配線位置へ移動させる。ここで、異なる方向へ突出したハーネスガイド２８，２９の載置面２８ｂ，２９ｂが同一平面内に位置するため、載置面２８ｂ，２９ｂ上でハーネス２６をスライドさせるときの作業をスムーズに行え、ハーネス２６を載置面２８ｂ，２９ｂの端部から配線位置へ移動させる配線作業を容易に行える。
【００３０】
【発明の効果】
請求項１記載の発明の定着装置によれば、ヒートローラの温度を測定するサーミスタを定着ハウジング内に挿入する挿入穴を定着ハウジングに形成し、定着装置の外部から挿入穴を通して定着ハウジング内へ挿入したサーミスタを定着ハウジングの外周部に着脱自在に取り付けたので、サーミスタの清掃を行う場合には定着ハウジングを分解することなくサーミスタを定着ハウジング外へ取り出すことができ、サーミスタの清掃を手間と時間とをかけずに容易に行うことができる。
【００３１】
また、定着ハウジングの外周部にサーミスタのハーネスを配線するための断面Ｌ字型をしたＬ字型凹部を設け、サーミスタのハーネスを保持する複数個のハーネスガイドをＬ字型凹部にこの定着ハウジングと一体に形成したので、ハーネスを保持するためのクランプなどの部品を別個に設ける必要がなくなり、部品点数を少なくして製品コストを下げることができる。
【００３２】
さらに、異なる方向に突出したハーネスガイドのガイド面と定着ハウジングの外周面とによりハーネスの外周面の全方位を囲むことができるので、定着ハウジングの外周面の配線位置に配線されたハーネスがその配線位置から外れにくくなり、定着装置を取り外して行うメンテナンス時などに配線位置から外れたハーネスが定着装置の周囲の部品に引っ掛かるということを防止できる。
【００３３】
請求項２記載の発明によれば、請求項１記載の定着装置において、ハーネスガイドには、前記ハーネスをスライドさせる載置面が前記ガイド面と交差して形成されており、異なる方向へ突出したハーネスガイドの載置面が略同一平面内に位置するので、載置面上に載置したハーネスを載置面上でスライドさせて載置面の端部からガイド面と対向する配線位置へ移動させるとき、異なる方向へ突出したハーネスガイドの載置面上でハーネスをスライドさせるときの作業をスムーズに行うことができ、ハーネスを配線位置へ移動させる配線作業を容易に行うことができる。
【００３４】
請求項３記載の発明の画像形成装置によれば、請求項１又は２記載の定着装置を用いることにより、それぞれの定着装置において得られる効果と同じ効果を得ることができる。
【図面の簡単な説明】
【図１】本発明の一実施の形態の複写機の全体構造を示す縦断側面図である。
【図２】定着装置の外観を示す斜視図である。
【図３】定着装置を示す縦断側面図である。
【符号の説明】
５      記録媒体
１０      感光体ドラム
１１      現像ローラ
１３      光書込装置
１６      転写装置
１７      定着装置
１９    定着ハウジング
２１      ヒートローラ
２３      サーミスタ
２４      挿入穴
２６      ハーネス
２８，２９      ハーネスガイド
２８ａ，２９ａ  ガイド面
２８ｂ，２９ｂ  載置面
【図１】
0003604063.tif 000002
【図２】
0003604063.tif 000003
【図３】
0003604063.tif 000004